(57)【要約】【課題】受信可能な受信周波数をプリセットメモリに正確に記憶できる放送受信装置を提供する。【解決手段】チューナ部１の受信周波数を順次切替え、それぞれの受信周波数において、ＳＤ信号検出部４で検出した電界強度が予め定めた一定の値以上であって、かつ、チユーナ部１の受信周波数が、測位部５によって測位され現在位置から予め定めた規定距離内にある送信アンテナを有する放送局の放送周波数、若しくは現在位置から予め定めた規定距離内にある送信アンテナを有する放送局の放送周波数から予め定めた規定の周波数範囲を越えて離れているときのみ、その受信周波数をプリセットメモリ８に記憶する。【選択図】  図１
2004235951.tif 000002
【特許請求の範囲】
【請求項１】
受信周波数を順次切替え設定する受信周波数設定手段と、前記受信周波数設定手段によって設定された受信周波数において受信した放送電波の電界強度を検出する電界強度検出手段と、現在位置を測位する測位手段と、放送局の送信アンテナの位置と放送周波数とを含むデータを記憶した放送局データ記憶手段と、受信可能な周波数に対応するデータを記憶するプリセットメモリと、前記電界強度検出手段によって検出された電界強度が予め定めた一定値以上であって、前記周波数設定手段によって設定された受信周波数が、前記測位手段によって測位された現在位置から予め定めた規定距離内にある送信アンテナから送信される放送局の放送周波数もしくは、前記現在位置から予め定めた規定距離内にあるいずれの送信アンテナから送信される放送局の放送周波数からも予め定めた規定の周波数を越えて離れている場合、前記受信周波数に対応するデータを受信可能な周波数に対応するデータとして前記プリセットメモリに記憶する制御手段とを備えた放送受信装置。
【請求項２】
受信周波数を順次切替え設定する受信周波数設定手段と、現在位置を測位する測位手段と、放送局の送信アンテナ位置と放送周波数とを含むデータを記憶した放送局データ記憶手段と、受信可能な周波数に対応するデータを記憶するプリセットメモリと、前記測位手段によって測位された現在位置から予め定めた規定距離内にある送信アンテナから送信される放送局の放送周波数もしくは、前記現在位置から予め定めた規定距離内にあるいずれの送信アンテナから送信される放送局の放送周波数からも予め定めた規定の周波数を越えて離れていて、前記受信周波数設定手段によって設定された受信周波数において受信した放送電波の電界強度を検出する電界強度検出手段が検出した電界強度が予め定めた一定値以上である場合、前記受信周波数に対応するデータを受信可能な周波数に対応するデータとして前記プリセットメモリに記憶する制御手段とを備えた放送受信装置。
【請求項３】
放送局の送信アンテナ位置と放送周波数とを含むデータを記憶した放送局データ記憶手段と、受信可能な周波数に対応するデータを記憶するプリセットメモリと、現在位置を測位する測位手段と、前記測位手段によって測位された現在位置から予め定めた規定距離内にある送信アンテナから送信される放送局の放送周波数もしくは、前記現在位置から予め定めた規定距離内にあるいずれの送信アンテナから送信される放送局の放送周波数からも予め定めた規定の周波数を越えて離れている周波数を、受信周波数として順次切替え設定する受信周波数設定手段と、前記受信周波数設定手段によって設定された受信周波数において受信した放送電波の電界強度を検出する電界強度検出手段が検出した電界強度が予め定めた一定値以上である場合、前記受信周波数に対応するデータを受信可能な周波数に対応するデータとして前記プリセットメモリに記憶する制御手段とを備えた放送受信装置。
【請求項４】
前記規定の周波数の幅が、前記受信周波数設定手段が順次切替える受信周波数のステップ周波数の整数倍であることを特徴とする請求項１乃至請求項３のいずれかに記載の放送受信装置。
【発明の詳細な説明】
【０００１】
【発明の属する技術分野】
本発明は、ラジオ、テレビなどの放送を受信する主として車載用の放送受信装置に関する。
【０００２】
【従来の技術】
一般に、車載用の放送受信装置では、予めスーパーヘテロダイン方式の局部発信周波数を順次切り替えていくことによって、受信周波数を順次自動的に切替えていき、受信された放送電波の電界強度が予め定めた規定の値以上になったとき、その受信された放送電波の周波数もしくは局部発信周波数をそれぞれ別に設けたプリセットメモリに記憶しておく。
【０００３】
そして、希望する放送電波を受信する場合には、プリセットメモリに記憶された受信周波数もしくは局部発信周波数の中からそれぞれ希望する受信周波数もしくは局部発信周波数を読み出し、その受信周波数の放送を受信するように構成している。
【０００４】
しかしながら、この種の放送受信装置では、プリセットメモリにそれぞれの受信可能な周波数を記憶させる場合、車両の走行状態や、周囲の温度、天候などに変化があると、それによって電界強度に大きなばらつきが生じ、本来であれば、規定の値以上の電界強度があるはずの放送電波が規定値以上であると検出されないことがあり、そのような場合、その放送電波の周波数がプリセットメモリに正しく記憶されないという問題があった。
【０００５】
そのため、従来、このような問題を解決するものとして、自車位置を検出する自車位置検出手段と、放送局の位置や、放送周波数、出力などの放送局データを予め記憶した放送局データ記憶手段とを別に設け、自車位置検出手段によって自車位置が検出されると、その自車位置を基に、自車位置の周囲何キロメートルといった周辺地域に存在する放送局を放送局データ記憶手段より読み出し、読み出された放送局の放送周波数をそれぞれプリセットメモリに記憶するというものも知られている（例えば、特許文献１参照）。
【０００６】
【特許文献１】
特開平９−１３５１８４号公報（第３頁〜第５頁、第２図）
【０００７】
【発明が解決しようとする課題】
しかしながら、従来知られているこの種の放送受信装置では、自車位置を検出し、その周囲に存在する放送局の放送周波数をプリセットメモリに記憶するだけのものであり、実際に自車位置においてその放送局の放送電波が受信できるかどうかは不明であり、往々にして受信できない放送電波が存在するという問題があった。
【０００８】
本発明は、以上のような従来の問題に鑑みてなされたものであり、自車位置の周辺に存在する放送局で実際には受信できない放送局の放送周波数をプリセットメモリに記憶してしまうことのない放送受信装置を提供することを目的とするものである。
【０００９】
【課題を解決するための手段】
本発明は、受信周波数を順次切替え設定する受信周波数設定手段と、受信周波数設定手段によって設定された受信周波数において受信した放送電波の電界強度を検出する電界強度検出手段と、現在位置を測位する測位手段と、放送局の送信アンテナ位置と放送周波数とを含むデータを記憶した放送局データ記憶手段と、受信可能な周波数に対応するデータを記憶するプリセットメモリと、電界強度検出手段によって検出された電界強度が予め定めた一定値以上であって、周波数設定手段によって設定された受信周波数が、測位手段によって測位された現在位置から予め定めた規定距離内にある送信アンテナ位置から送信される放送局の放送周波数もしくは、現在位置から予め定めた規定距離内にあるいずれの送信アンテナから送信される放送局の放送周波数からも予め定めた規定の周波数を越えて離れている場合、受信周波数に対応するデータを受信可能な周波数に対応するデータとして前記プリセットメモリに記憶する制御手段とを備えた構成を有している。
【００１０】
この構成により、放送局の放送電波を実際に受信し、その受信状態での電界強度が予め定めた一定の値以上であり、測位手段によって測位された現在位置から予め定めた規定距離内の送信アンテナから送信される放送周波数の近接周波数の場合を除いて、その受信周波数をプリセットメモリに記憶することにより、記憶した受信周波数において放送電波が受信できないという不都合は生じることなく、かつ、放送局の送信アンテナ近傍で放送周波数に近接する放送周波数以外の周波数をプリセットメモリに誤って記憶してしまわないという作用を有する。
【００１１】
また、本発明の放送受信装置は、受信周波数を順次切替え設定する受信周波数設定手段と、現在位置を測位する測位手段と、放送局の送信アンテナ位置と放送周波数とを含むデータを記憶した放送局データ記憶手段と、受信可能な周波数に対応するデータを記憶するプリセットメモリと、測位手段によって測位された現在位置から予め定めた規定距離内にある送信アンテナから送信される放送局の放送周波数もしくは、現在位置から予め定めた規定距離内にあるいずれの送信アンテナから送信される放送局の放送周波数からも予め定めた規定の周波数を越えて離れていて、周波数設定手段によって設定された受信周波数において受信した放送電波の電界強度を検出する電界強度検出手段が検出した電界強度が予め定めた一定値以上である場合、受信周波数に対応するデータを受信可能な周波数に対応するデータとしてプリセットメモリに記憶する制御手段とを備えた構成を有している。
【００１２】
この構成により、現在位置近くの送信アンテナから送信される放送周波数に近接する周波数を、電界強度を測定するより先に除外することによりプリセットメモリへの記憶動作時間を短縮できるという作用を有する。
【００１３】
また、本発明の放送受信装置は、放送局の送信アンテナ位置と放送周波数とを含むデータを記憶した放送局データ記憶手段と、受信可能な周波数に対応するデータを記憶するプリセットメモリと、現在位置を測位する測位手段と、測位手段によって測位された現在位置から予め定めた規定距離内にある送信アンテナから送信される放送局の放送周波数もしくは、現在位置から予め定めた規定距離内にあるいずれの送信アンテナから送信される放送局の放送周波数からも予め定めた規定の周波数を越えて離れている周波数を、受信周波数として順次切替え設定する受信周波数設定手段と、受信周波数設定手段によって設定された受信周波数において受信した放送電波の電界強度を検出する電界強度検出手段が検出した電界強度が予め定めた一定値以上である場合、受信周波数に対応するデータを受信可能な周波数に対応するデータとしてプリセットメモリに記憶する制御手段とを備えた構成を有している。
【００１４】
この構成により、現在位置から予め定めた規定距離内にあるいずれの送信アンテナから送信される放送局の放送周波数の近接周波数をスキップして受信周波数を設定することによりプリセットメモリへの記憶動作時間を短縮できるという作用を有する。
【００１５】
さらに、本発明の放送受信装置は、規定の周波数の幅が、受信周波数設定手段が順次切替える受信周波数のステップ周波数の整数倍である構成を有している。
この構成により、プリセットメモリへの記憶動作時間を短縮でき、特に整数倍が１倍の場合、プリセットメモリへの記憶動作時間をさらに短縮できるという作用を有する。
【００１６】
【発明の実施の形態】
以下、本発明の実施の形態について、図面を用いて詳細に説明する。
【００１７】
図１は、本発明の一実施の形態における放送受信装置の概略ブロック図である。
【００１８】
本発明の一実施の形態における放送受信装置は、図１に示すように、放送電波を受信し、放送電波で送られてきた低周波信号を出力するチューナ部１と、このチューナ部１の受信周波数を決定するＰＬＬ部２と、チューナ部１で受信された放送電波の電界強度を測定する電界強度測定部３と、チューナ部１で受信された放送電波が予め定めたレベル以上であるとき、それを検出するＳＤ信号検出部４と、現在位置を測位するＧＰＳ受信機などの測位部５と、放送局の送信アンテナ位置や放送周波数、空中線電力と言った、いわゆる、放送局データを記憶した放送局データ記憶部６と、各種操作キーを備えた操作部７と、受信可能な放送周波数をそれぞれ操作部７の予め定めた操作キーに対応して記憶するプリセットメモリ８と、各種表示を行う表示部９と、これらを制御する制御部１０とを備えている。
【００１９】
なお、ＳＤ信号検出部４は、スーパーヘテロダイン受信方式の中間周波信号のレベルを直流電圧に変換し、放送電波を受信することによってその電圧が予め定めた一定レベル以上になったとき、Ｈ（ハイ）レベルのＳＤ信号（Ｓｔａｔｉｏｎ    Ｄｅｔｅｃｔ信号）を出力するように構成されている。
【００２０】
次に、本実施の形態について、その動作を説明する。
【００２１】
先ず、受信可能な放送局の放送周波数をそれぞれプリセットメモリ８に記憶する動作について説明する。
【００２２】
図２は、本実施の形態において、受信可能な放送局の放送周波数をそれぞれプリセットメモリ８に記憶する場合の動作を示している。
【００２３】
操作部７を用いて、受信可能な放送局の放送周波数をそれぞれプリセットメモリ８に記憶するための操作を行うと、制御部１０がこれを検知し、ＰＬＬ部２に対し、チューナ部１での受信周波数を予め定めた規定の値にするように指示する。すると、チューナ部１での受信周波数が予め定めた規定の値（例えば、受信周波数帯域の最も低い受信周波数）に設定される（Ｓ２０１）。
【００２４】
チューナ部１での受信周波数が規定の値に設定されると、その受信周波数において、ＳＤ信号検出部４より所定のＳＤ信号が検出されているか否かが判断され（Ｓ２０２）、検出されていない場合には、ＰＬＬ部２に対し、チューナ部１での受信周波数を次の受信周波数（例えば、これまでの受信周波数より予め定めた、ＦＭ放送なら１００ｋＨｚ、ＡＭ放送なら９ｋＨｚといった、一定の周波数Δｆ１だけ高い受信周波数）にするように指示し、チューナ部１での受信周波数を次の受信周波数に設定する（Ｓ２０９）。
【００２５】
ＳＤ信号検出部４によって所定のＳＤ信号が検出された場合には、ＰＬＬ部２はチューナ部１からの中間周波数をカウントし、中間周波数が規定の値であるかどうかを判断する（Ｓ２０３）。判断の結果、規定の値でなければ、ＳＤ信号が検出されなかった場合と同様、チューナ部１の受信周波数が次の受信周波数に設定される（Ｓ２０９）。
【００２６】
チューナ部１からの中間周波数が規定の値であった場合には、チューナ部１で受信された放送電波の電界強度を測定する（Ｓ２０４）。
【００２７】
チューナ部１で受信された放送電波の電界強度が予め定めた一定以上であれば、測位部５で測位された現在位置に基づいて、放送局データ記憶部６に記憶された多数の放送局の中から、現在位置から予め定めた規定距離内にある放送局が抽出され、抽出されたそれらの放送局の中に、現在設定されているチューナ部１での受信周波数が、抽出されたそれらの放送局の放送周波数と一致するか、さらには、抽出されたそれらの放送局の放送周波数から予め定めた規定の周波数範囲（±Δｆ２）内の近接周波数である放送局があるかどうかが判断される（Ｓ２０５）。ここではΔｆ２＞＝Δｆ１の場合で説明する。
【００２８】
判断の結果、規定の周波数範囲内の放送局があれば、近接周波数だとしてＳＤ信号が検出されなかった場合と同様、チューナ部１の受信周波数が次の受信周波数に設定される（Ｓ２０９）。そして、放送周波数と一致するか、あるいは、抽出されたそれらの放送局のいずれの放送周波数からも予め定めた規定の周波数範囲（±Δｆ２）を越えて離れていれば、放送局ありと判断され（Ｓ２０６）、その放送局の放送周波数と電界強度の値が、一時、制御部１０内のメモリなどに記憶される（Ｓ２０７）。
【００２９】
そして、これらの動作は、全ての受信周波数に対して実施され、それらが終了すれば（Ｓ２０８のＹ）、次に、制御部１０内のメモリなどに一時記憶された放送周波数の中から電界強度の大きい順に予め定めた数（例えば、６つ）の放送局の放送周波数が抽出され（Ｓ２１０）、それら放送周波数がそれぞれ受信可能な受信周波数としてプリセットメモリ８に記憶される（Ｓ２１１）。
【００３０】
なお、プリセットメモリ８に受信可能な受信周波数を記憶する場合、受信可能な受信周波数に対応するデータをそれぞれ操作部７のプリセットキーに対応して記憶するようにしている。したがって、希望する放送局の放送電波を受信する場合には、操作部７の希望するプリセットキーを操作すればよいようになっている。
【００３１】
すなわち、希望するプリセットキーを操作すれば、それに対応して記憶された放送周波数のデータが読み出され、そのデータに基づいてチューナ部１の受信周波数が希望する放送局の放送周波数に設定され、希望する放送局の放送電波を受信することができるようになる。
【００３２】
以上説明したように、本実施の形態では、ＳＤ信号や電界強度を検出し、これらが検出された状態で、更に、測位部５で測位された現在位置から予め定められた規定距離内に送信アンテナを有する放送局を抽出し、抽出された放送局の放送周波数と一致するか、あるいは、抽出された放送局のいずれの放送周波数からも予め定めた規定の周波数を越えて離れて受信周波数が設定されているかどうかを検出し、受信周波数が抽出された放送局の放送周波数と一致するか、あるいは、抽出された放送局のいずれの放送周波数からも予め定めた規定の周波数を越えて離れている場合のみ、設定された周波数を受信可能な受信周波数としてプリセットメモリに記憶するようにしており、したがって、本実施の形態によれば、受信できない放送周波数がプリセットメモリに記憶されることはない。
【００３３】
また、電界強度を検出し、その電界強度の大きい受信周波数をそのままプリセットメモリに記憶するように構成した場合には、放送局が近くにあって、電界強度が大きすぎる場合、放送局の放送周波数がプリセットメモリに記憶される以外に、隣接する周波数がプリセットメモリに記憶されることがあるが、本実施の形態では、放送局データ記憶部６に記憶された放送局の放送周波数を基に、チューナ部１の受信周波数から、予め定めた規定の周波数範囲（±Δｆ２）内に予め定めた距離の送信アンテナを有する放送局の放送周波数がないかを検知し、その結果を踏まえて記憶するようにしており、このような誤記憶も容易に排除することができる。
【００３４】
すなわち、図３（Ａ）に示すように、ＳＤ検出レベルを所定の値に設定し、放送局が存在する、例えば、８０．０ＭＨｚ近辺でＳＤ信号が検出され、８０．０ＭＨｚ±Δｆ１である７９．９ＭＨｚおよび８０．１ＭＨｚではＳＤ信号が検出されないように構成するのであるが、放送局の送信アンテナが極端に近くにあって電界強度が極端に大きい場合には、図３（Ｂ）に示すように、８５．１ＭＨｚ近辺だけでなく、それに隣接する周波数（Δｆ１＝０．１ＭＨｚの場合、８５．０ＭＨｚや、８５．２ＭＨｚ）でもＳＤ信号が検出されることになり、隣接する周波数が誤ってプリセットメモリに記憶されることになる。
【００３５】
ところが、本実施の形態によれば、放送局データ記憶部６に記憶された放送局の放送周波数を基に、チューナ部１での受信周波数（例えば８５．０ＭＨｚ）から予め定めた規定の周波数範囲内（±Δｆ２）に放送局の放送周波数があるかどうかを検知し、放送周波数、若しくは規定の範囲（±Δｆ２）を越えて離れている場合にのみ、その周波数をプリセットメモリ６に記憶するようにしており、上記誤記憶を容易に防止することができる。
【００３６】
なお、本実施の形態では、ＳＤ信号や電界強度を検出し、その後、測位部５によって測位された現在位置を基に、現在位置の周辺にある放送局を抽出し、その放送局の放送周波数を受信可能な受信周波数としてプリセットメモリに記憶するようにしているが、先に現在位置を測位し、その周辺に放送局があるかどうかを検出し、その後、ＳＤ信号の検出や電界強度の測定をするようにしても良い。
【００３７】
図４は、先に現在位置を測位し、その周辺に放送局があるかどうかを判断し、その後、ＳＤ信号や電界強度を検出するように構成した他の実施の形態の動作を示すフローチャートである。以下、この実施の形態について、図４を用いて詳細に説明する。
【００３８】
先ず、ハードウエア構成は、本実施の形態も、図１に示す通りであり、ここでは、その詳細な説明を省略する。
【００３９】
本実施の形態において、操作部７を用いて、受信可能な放送局の放送周波数をそれぞれプリセットメモリ８に記憶するための操作を行うと、制御部１０がこれを検知し、ＰＬＬ部２に対し、チューナ部１での受信周波数を予め定めた規定の値にするように指示する。すると、チューナ部１での受信周波数が予め定めた規定の値（例えば、受信周波数帯域の最も低い受信周波数）に設定される（Ｓ４０１）。
【００４０】
チューナ部１での受信周波数が規定の値に設定されると、その受信周波数から予め定めた規定の周波数範囲（±Δｆ２）に、測位部５によって測位された現在位置から規定の距離内にある送信アンテナを有する放送局の放送周波数があるかどうかが先ず判断される（Ｓ４０２）。
【００４１】
チューナ部１での受信周波数から規定の周波数範囲（±Δｆ２）に現在位置から規定の距離内にある送信アンテナを有する放送局の放送周波数があれば、ＰＬＬ部２に対し、チューナ部１での受信周波数を次の受信周波数（例えば、これまでの受信周波数より予め定めた一定の周波数Δｆ１だけ高い受信周波数）にするように指示し、チューナ部１での受信周波数を次の受信周波数に設定する（Ｓ４０８）。
【００４２】
チューナ部１での受信周波数が現在位置から規定の距離内にある送信アンテナを有する放送局の放送周波数か、あるいは、受信周波数から規定の周波数範囲（±Δｆ２）に現在位置から規定の距離内にある送信アンテナを有する放送局の放送周波数がなければ、ＳＤ信号検出部４より所定のＳＤ信号が検出されているか否かが判断される（Ｓ４０３）。
【００４３】
ＳＤ信号が検出されていない場合には、ＰＬＬ部２に対し、チューナ部１での受信周波数を次の受信周波数（例えば、これまでの受信周波数より予め定めた一定の周波数Δｆ１だけ高い受信周波数）にするように指示し、チューナ部１での受信周波数を次の受信周波数に設定する（Ｓ４０８）。
【００４４】
ＳＤ信号検出部４によって所定のＳＤ信号が検出された場合には、チューナ部１からの中間周波数をカウントし、中間周波数が規定の値であるかどうかを判断する（Ｓ４０４）。判断の結果、規定の値でなければ、ＳＤ信号が検出されなかった場合と同様、チューナ部１の受信周波数を次の受信周波数に設定する（Ｓ４０８）。
チューナ部１からの中間周波数が規定の値であった場合には、チューナ部１で受信された放送電波の電界強度を測定する（Ｓ４０５）。チューナ部１からの中間周波数が規定の値であれば、放送局ありと判断し（Ｓ４０６）、その時の受信周波数を電界強度の値と共に、一時、制御部１０内のメモリなどに記憶する（Ｓ４０７）。
【００４５】
そして、このような動作を全ての受信周波数に対して実施し、すべてが終了すれば（Ｓ４０９のＹ）、次に、制御部１０内のメモリなどに一時記憶された受信周波数の中から電界強度の大きい順に予め定めた数（例えば、６つ）の受信周波数を抽出し（Ｓ４１０）、それら受信周波数をそれぞれ受信可能な受信周波数としてプリセットメモリ８に記憶する（Ｓ４１１）。
【００４６】
このように、本実施の形態によれば、先に、測位部５で測位した現在位置周辺に送信アンテナを有する放送局を抽出し、その後、ＳＤ信号や電界強度を検出するようにしているため、不要な放送電波を受信することなく、素早く所定の放送電波を受信して、その受信周波数をプリセットメモリに記憶することができる。
【００４７】
なお、本実施の形態では、先に現在位置を測位し、その周辺に送信アンテナを有する放送局があるかどうかを検出し、その後、ＳＤ信号や電界強度を検出するようにしているが、受信周波数を設定する段階で現在位置周辺に送信アンテナを有する放送局の近接周波数を予め除くようにしても良い。
【００４８】
図５は、受信周波数を設定する段階で現在位置周辺に送信アンテナを有する放送局の近接周波数を予め除くように構成した他の実施の形態の動作を示すフローチャートである。以下、この実施の形態について、図５を用いて、図４に示す先の実施の形態との差を中心に、その動作を説明する。
【００４９】
先ず、ハードウエア構成は、本実施の形態も、図１に示す通りであり、ここでは、その詳細な説明は省略する。本実施の形態において、操作部７を用いて、受信可能な放送局の放送周波数をそれぞれプリセットメモリ８に記憶するための操作を行なうと、制御部１０がこれを検知し、ＰＬＬ部２に対し、測位部５によって測位された現在位置から規定の距離内にある送信アンテナを有する放送局の放送周波数から予め定めた規定の周波数範囲（±Δｆ２）を除いて、チューナ部１での受信周波数を予め定めた規定の値にするように指示する。
【００５０】
すると、チューナ部１での受信周波数が現在位置から規定の距離内にある送信アンテナを有する放送局の放送周波数から予め定めた規定の周波数範囲（±Δｆ２）を除き、予め定めた規定の値に設定される（Ｓ５０１）。
【００５１】
ＳＤ信号検出（Ｓ５０２）以降の動作は、先の実施の形態におけるＳＤ信号検出（Ｓ４０３）以降の動作と同様なので、その動作の説明は省略する。
【００５２】
このように、本実施の形態によれば、現在位置から規定の距離内にある送信アンテナを有する放送局の放送周波数から予め定めた規定の周波数範囲（±Δｆ２）を除いて受信周波数を設定しているため、不要な周波数に受信周波数を設定することなく、素早く所定の放送を受信して、その受信周波数をプリセットメモリに記憶することができる。
【００５３】
なお、上記実施の形態では、受信周波数のステップ（Δｆ１）をＦＭ放送なら１００ｋＨｚ、ＡＭ放送なら９ｋＨｚの場合で説明したが、本発明はこれらの数値に限定されることなく受信の対象となる放送局の周波数をカバーできる周波数ステップなら同様の効果が得られるものである。
【００５４】
また、上記実施の形態では、近接周波数Δｆ２＞＝Δｆ１の場合で説明したが、本発明はこの条件に限定されることなく、例えば、チューナ部の中間周波フィルタ（図示せず）の選択特性が極めて急峻で、受信対象放送局の周波数が丁度大きな周波数ステップでも受信可能な関係であれば、Δｆ２＜Δｆ１の場合でも同様の効果が得られるものである。
【００５５】
また、上記実施の形態では、チューナ部の構成がスーパーヘテロダイン方式の場合で説明したは、本発明はこれに限定されることなく、直接検波方式や再生検波方式などの他の方式でも同様の効果が得られるものである。
【００５６】
【発明の効果】
以上説明したように、本発明は受信周波数が、測位部によって測位され現在位置から予め定めた規定距離内に送信アンテナを有する放送局の放送周波数か、若しくは、現在位置から予め定めた規定距離内に送信アンテナを有する放送局の放送周波数から予め定めた周波数を越えて離れている場合で、電波を実際に受信し、その受信状態での電界強度が予め定めた一定の値以上であるときのみ、受信周波数をプリセットメモリに記憶するようにしており、記憶した受信周波数において放送電波を受信することができないというような不都合は生じないという効果を有する。
【図面の簡単な説明】
【図１】本発明の一実施の形態における放送受信装置の概略ブロック図
【図２】本発明の一実施の形態における放送受信装置の動作を示すフローチャート
【図３】本発明の一実施の形態における放送受信装置のＳＤ検出レベルと電界強度との関係を説明する図
【図４】本発明の他の実施の形態における放送受信装置の動作を示すフローチャート
【図５】本発明の他の実施の形態における放送受信装置の動作を示すフローチャート
【符号の説明】
１  チューナ部
２  ＰＬＬ部
３  電界強度測定部
４  ＳＤ信号検出部
５  測位部
６  放送局データ記憶部
７  操作部
８  プリセットメモリ
９  表示部
１０  制御部
【図１】
2004235951.tif 000003
【図２】
2004235951.tif 000004
【図３】
2004235951.tif 000005
【図４】
2004235951.tif 000006
【図５】
2004235951.tif 000007